(57)【要約】【課題】液中電位測定用電極装置を小型化した場合でも、フィルタを容易に取り付けることが可能な液中電位測定用電極装置を提供する。【解決手段】この液中電位測定用電極装置１は、液中の電位を測定する測定用電極１２と、測定用電極１２を覆うとともに、外部と連通する開口１１１と底部とを有する筐体１１と、測定用電極１２を取り囲むように筐体１１の内部に配置された液体を通すフィルタ１３とを備える。【選択図】図２
2017044560.tif 000002
【特許請求の範囲】
【請求項１】
液中の電位を測定する測定用電極と、
前記測定用電極を覆うとともに、外部と連通する開口と底部とを有する筐体と、
前記測定用電極を取り囲むように前記筐体の内部に配置された液体を通すフィルタとを備える、液中電位測定用電極装置。
【請求項２】
前記フィルタは、前記測定用電極に接した状態で前記筐体の内部に配置されている、請求項１に記載の液中電位測定用電極装置。
【請求項３】
前記筐体は、円筒状に形成されており、
前記フィルタは、前記測定用電極が挿入される穴を有する円柱形状に形成されている、請求項１または２に記載の液中電位測定用電極装置。
【請求項４】
前記測定用電極を保持するとともに、前記筐体に対して係合することにより、前記測定用電極を前記筐体に固定する電極保持部をさらに備える、請求項１〜３のいずれか１項に記載の液中電位測定用電極装置。
【請求項５】
前記測定用電極は、前記電極保持部に接着剤により固定されている、請求項４に記載の液中電位測定用電極装置。
【請求項６】
前記筐体の内部の液体を保持するように前記開口を封止する蓋部材をさらに備える、請求項１〜５のいずれか１項に記載の液中電位測定用電極装置。
【発明の詳細な説明】
【技術分野】
【０００１】
本発明は、液中電位測定用電極装置に関する。
【背景技術】
【０００２】
従来、液中電位測定用電極装置が知られている（たとえば、特許文献１参照）。
【０００３】
上記特許文献１には、液中の電位を測定するための電極と、電極を覆うとともに外部と連通する開口を有するケース本体と、ケース本体の開口を覆うとともに液体を通すフィルタとを備える液中微小電位測定用電極装置（液中電位測定用電極装置）が開示されている。この特許文献１の液中微小電位測定用電極装置は、ケース本体の内側に突出するつばに円板形状のフィルタをケース本体の外側から押さえリングを介してネジ締めすることにより、フィルタを取り付けている。
【先行技術文献】
【特許文献】
【０００４】
【特許文献１】特開２０１０−０１９８１５号公報
【発明の概要】
【発明が解決しようとする課題】
【０００５】
上記特許文献１のような従来の液中微小電位測定用電極装置（液中電位測定用電極装置）では、ケース本体の内側に突出するつばに円板形状のフィルタをケース本体の外側から押さえリングを介してネジ締めすることにより、フィルタを取り付けているため、液中微小電位測定用電極装置を小型化しようとした場合、フィルタおよび押さえリングが非常に小さい部品となる。この場合、フィルタを取り付ける際に、非常に小さい複数の部品（フィルタおよび押さえリング）を押さえつつ、ネジ締めする必要があるため、フィルタを取り付ける作業が困難となる。このような理由から、従来では、液中電位測定用電極装置を小型化した場合でも、フィルタを容易に取り付けることが可能が液中電位測定用電極装置が望まれている。
【０００６】
この発明は、上記のような課題を解決するためになされたものであり、この発明の１つの目的は、液中電位測定用電極装置を小型化した場合でも、フィルタを容易に取り付けることが可能な液中電位測定用電極装置を提供することである。
【課題を解決するための手段】
【０００７】
上記目的を達成するために、この発明の一の局面における液中電位測定用電極装置は、液中の電位を測定する測定用電極と、測定用電極を覆うとともに、外部と連通する開口と底部とを有する筐体と、測定用電極を取り囲むように筐体の内部に配置された液体を通すフィルタとを備える。
【０００８】
この発明の一の局面による液中電位測定用電極装置では、上記のように、液体を通すフィルタを測定用電極を取り囲むように筐体の内部に配置する。これにより、液中電位測定用電極装置を小型化した場合、非常に小さい複数の部品を押さえつつ、ネジ締めしてフィルタを取り付ける場合と異なり、フィルタを筐体の内部に挿入して筐体の底部に当てるだけで、フィルタを筐体の内部に配置することができるので、フィルタを容易に取り付けることができる。その結果、液中電位測定用電極装置を小型化した場合でも、フィルタを容易に取り付けることができる。また、筐体にフィルタを取り付けるためのつばおよび押さえリングを設ける必要がないので、液中電位測定用電極装置の構造を簡素化することができる。
【０００９】
上記一の局面による液中電位測定用電極装置において、好ましくは、フィルタは、測定用電極に接した状態で筐体の内部に配置されている。このように構成すれば、測定用電極に気泡や貝や微生物などが付着することを効果的に抑制することができるので、気泡や貝や微生物などが測定用電極に付着することに起因するノイズの発生を効果的に抑制することができる。
【００１０】
上記一の局面による液中電位測定用電極装置において、好ましくは、筐体は、円筒状に形成されており、フィルタは、測定用電極が挿入される穴を有する円柱形状に形成されている。このように構成すれば、円筒状の筐体に円柱形状のフィルタを入れることにより、フィルタをより容易に取り付けることができる。
【００１１】
上記一の局面による液中電位測定用電極装置において、好ましくは、測定用電極を保持するとともに、筐体に対して係合することにより、測定用電極を筐体に固定する電極保持部をさらに備える。このように構成すれば、測定用電極を筐体に固定するために、測定用電極にねじ加工や溝加工を行う必要がないので、液中電位測定用電極装置を小型化した場合でも、測定用電極を容易に固定することができる。
【００１２】
この場合、好ましくは、測定用電極は、電極保持部に接着剤により固定されている。このように構成すれば、液中電位測定用電極装置を小型化した場合でも、接着剤により測定用電極を電極保持部に容易かつ確実に固定することができる。
【００１３】
上記一の局面による液中電位測定用電極装置において、好ましくは、筐体の内部の液体を保持するように開口を封止する蓋部材をさらに備える。このように構成すれば、蓋部材により、測定用電極に液体が接した状態で液中電位測定用電極装置を保管することができるので、測定用電極に塩化銀電極などを用いた場合に、塩化銀電極の溶解を平衡にした状態で保管することができる。これにより、液中電位測定用電極装置を液中に設置してから安定して電位を測定することが可能となるまでの時間が長くなるのを抑制することができる。
【発明の効果】
【００１４】
本発明によれば、上記のように、液中電位測定用電極装置を小型化した場合でも、フィルタを容易に取り付けることができる。
【図面の簡単な説明】
【００１５】
【図１】本発明の第１実施形態による液中電位測定用電極装置を備える液中電位測定システムの概略を示したブロック図である。
【図２】本発明の第１実施形態による液中電位測定用電極装置を示した側面断面図である。
【図３】本発明の第２実施形態による液中電位測定用電極装置を示した側面断面図である。
【発明を実施するための形態】
【００１６】
以下、本発明を具体化した実施形態を図面に基づいて説明する。
【００１７】
［第１実施形態］
（液中電位測定システムの構成）
第１実施形態による液中電位測定用電極装置１は、図1に示すように、液中（海中）において微小電位を測定する液中電位測定システム１００に用いられる。液中電位測定システム１００は、一対の液中電位測定用電極装置１と、制御部２と、アンプ３とを備えている。
【００１８】
液中電位測定システム１００は、一対の液中電位測定用電極装置１の電位差を測定し、アンプ３により増幅して、制御部２により観測するように構成されている。また、液中電位測定システム１００は、測定した電位差に基づいて海中の電流を測定するように構成されている。
【００１９】
（液中電位測定用電極装置の構成）
一対の液中電位測定用電極装置１は、互いに同様の構成を有している。液中電位測定用電極装置１は、図２に示すように、筐体１１と、測定用電極１２と、フィルタ１３とを備えている。
【００２０】
筐体１１には、外部と連通する開口１１１が形成されている。筐体１１は、測定用電極１２を覆うように構成されている。言い換えると、筐体１１内に測定用電極１２が配置されている。また、筐体１１は、円筒形状に形成されている。また、円筒形状の筐体１１の一方側の底面（底部）には、開口１１１が形成されている。つまり、開口１１１は、筐体１１の一方端側に配置されている。
【００２１】
筐体１１の開口１１１は、外部の水（海水）を筐体１１内に通すように構成されている。これにより、液中電位測定用電極装置１の使用時に外部の水（海水）が、測定用電極１２と連通し、液中（海中）の電位を測定することが可能となる。
【００２２】
測定用電極１２は、水中（海中）の電位を測定するように構成されている。また、測定用電極１２は、銀（Ａｇ）および塩化銀（ＡｇＣｌ）を含む銀−塩化銀電極により構成されている。測定用電極１２は、図１および図２に示すように、配線１ａに接続されている。配線１ａは、図１に示すように、アンプ３を介して制御部２に接続されている。また、測定用電極１２は、円柱形状を有し、筐体１１の長手方向に延びるように配置されている。
【００２３】
ここで、第１実施形態では、測定用電極１２は、電極保持部１２１により保持されて、筐体１１に固定されている。具体的には、電極保持部１２１は、測定用電極１２を保持するとともに、筐体１１に対して係合することにより、測定用電極１２を筐体１１に固定するように構成されている。また、測定用電極１２は、電極保持部１２１に接着剤により固定されている。電極保持部１２１の外周には、ネジ部が設けられている。筐体１１の内周にはネジ部が設けられている。そして、電極保持部１２１の外周のネジ部と、筐体１１の内周のネジ部とが係合（螺合）することにより、電極保持部１２１が筐体１１に固定される。
【００２４】
測定用電極１２と、配線１ａとの接続部は、絶縁部材１２２に覆われている。これにより、測定用電極１２と、配線１ａとの接続部が、水（海水）に対して絶縁される。
【００２５】
また、第１実施形態では、フィルタ１３は、測定用電極１２を取り囲むように筐体１１の内部に配置されている。具体的には、フィルタ１３は、筐体１１の内部に充填されている。また、フィルタ１３は、海水（液体）を通すように構成されている。これにより、液中電位測定用電極装置１を液中に設置した場合に、異物が測定用電極１２に付着するのを抑制することができるので、電位を安定して測定することが可能である。フィルタ１３は、たとえば、不織布のスポンジなどにより形成されている。
【００２６】
また、フィルタ１３は、測定用電極１２に接した状態で筐体１１の内部に配置されている。また、フィルタ１３は、測定用電極１２が挿入される穴１３１を有する円柱形状に形成されている。なお、穴１３１は、測定用電極１２の挿入前に形成してもよいし、測定用電極１２が挿入されることにより形成されてもよい。
【００２７】
図１に示すように、制御部２は、液中電位測定システム１００の各部を制御するように構成されている。また、制御部２は、水中（海中）の電位差を測定して、水中（海中）の電流値を測定するように構成されている。
【００２８】
（第１実施形態の効果）
第１実施形態では、以下のような効果を得ることができる。
【００２９】
第１実施形態では、上記のように、液体を通すフィルタ１３を測定用電極１２を取り囲むように筐体１１の内部に配置する。これにより、液中電位測定用電極装置１を小型化した場合、非常に小さい複数の部品を押さえつつ、ネジ締めしてフィルタを取り付ける場合と異なり、フィルタ１３を筐体１１の内部に挿入して筐体１１の底部に当てるだけで、フィルタ１３を筐体１１の内部に配置することができるので、フィルタ１３を容易に取り付けることができる。その結果、液中電位測定用電極装置１を小型化した場合でも、フィルタ１３を容易に取り付けることができる。また、筐体１１にフィルタ１３を取り付けるためのつばおよび押さえリングを設ける必要がないので、液中電位測定用電極装置１の構造を簡素化することができる。
【００３０】
また、第１実施形態では、上記のように、フィルタ１３を、測定用電極１２に接した状態で筐体１１の内部に配置する。これにより、測定用電極１２に気泡や貝や微生物などが付着することを効果的に抑制することができるので、気泡や貝や微生物などが測定用電極１２に付着することに起因するノイズの発生を効果的に抑制することができる。
【００３１】
また、第１実施形態では、上記のように、筐体１１を円筒状に形成し、フィルタ１３を測定用電極１２が挿入される穴１３１を有する円柱形状に形成する。これにより、円筒状の筐体１１に円柱形状のフィルタ１３を入れることにより、フィルタ１３をより容易に取り付けることができる。
【００３２】
また、第１実施形態では、上記のように、測定用電極１２を保持するとともに、筐体１１に対して係合することにより、測定用電極１２を筐体１１に固定する電極保持部１２１を設ける。これにより、測定用電極１２を筐体１１に固定するために、測定用電極１２にねじ加工や溝加工を行う必要がないので、液中電位測定用電極装置１を小型化した場合でも、測定用電極１２を容易に固定することができる。
【００３３】
また、第１実施形態では、上記のように、測定用電極１２を、電極保持部１２１に接着剤により固定する。これにより、液中電位測定用電極装置１を小型化した場合でも、接着剤により測定用電極１２を電極保持部１２１に容易かつ確実に固定することができる。
【００３４】
［第２実施形態］
次に、図３を参照して、本発明の第２実施形態による液中電位測定用電極装置２０１について説明する。第２実施形態では、筐体２１１の開口１１１を封止する蓋部材１４を設けた構成の例について説明する。なお、上記第１実施形態と同様の構成については同様の符号を付し、説明を省略する。
【００３５】
（液中電位測定用電極装置の構成）
図３に示すように、第２施形態による液中電位測定用電極装置２０１は、筐体２１１と、測定用電極１２と、フィルタ１３と、蓋部材１４とを備えている。
【００３６】
ここで、第２実施形態では、蓋部材１４は、筐体２１１の内部の液体を保持するように開口１１１を封止するように構成されている。具体的には、蓋部材１４は、筐体２１１内をウェット状態にして、液中電位測定用電極装置２０１を保存する場合に、開口１１１から液体が流出しないように筐体２１１に取り付けられるように構成されている。
【００３７】
筐体２１１の外周には、ネジ部が設けられている。蓋部材１４の内周にはネジ部が設けられている。そして、筐体２１１の外周のネジ部と、蓋部材１４の内周のネジ部とが係合（螺合）することにより、蓋部材１４が筐体１１に固定される。
【００３８】
また、第２実施形態では、フィルタ１３は、測定用電極１２を取り囲むように筐体２１１の内部に配置されている。具体的には、フィルタ１３は、測定用電極１２に接した状態で筐体２１１の内部に配置されている。また、フィルタ１３は、測定用電極１２が挿入される穴１３１を有する円柱形状に形成されている。
【００３９】
第２実施形態のその他の構成は、上記第１実施形態と同様である。
【００４０】
（第２実施形態の効果）
第２実施形態では、以下のような効果を得ることができる。
【００４１】
上記のように、第２実施形態では、第１実施形態と同様に、液体を通すフィルタ１３を測定用電極１２を取り囲むように筐体２１１の内部に配置する。これにより、液中電位測定用電極装置２０１を小型化した場合でも、フィルタ１３を容易に取り付けることができる。
【００４２】
また、第２実施形態では、上記のように、筐体２１１の内部の液体を保持するように開口１１１を封止する蓋部材１４を設ける。これにより、蓋部材１４により、測定用電極１２に液体が接した状態で液中電位測定用電極装置２０１を保管することができるので、測定用電極１２に塩化銀電極を用いた場合に、塩化銀電極の溶解を平衡にした状態で保管することができる。これにより、液中電位測定用電極装置２０１を液中に設置してから安定して電位を測定することが可能となるまでの時間が長くなるのを抑制することができる。
【００４３】
第２実施形態のその他の効果は、上記第１実施形態と同様である。
【００４４】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００４５】
たとえば、上記第１および第２実施形態では、海水中に液中電位測定用電極装置を配置する例を示したが、本発明はこれに限られない。本発明では、海水以外の液中に液中電位測定用電極装置を配置してもよい。たとえば、湖や池や川などの水中に液中電位測定用電極装置を配置してもよい。
【００４６】
また、上記第１および第２実施形態では、測定用電極が円柱形状に形成されている例を示したが、本発明はこれに限られない。本発明では、測定用電極が、円柱形状以外の形状に形成されていてもよい。たとえば、測定用電極が、角柱形状に形成されていてもよい。
【００４７】
また、上記第１および第２実施形態では、液中電位測定システムが２つ（一対）の液中電位測定用電極装置を備える構成の例を示したが、本発明はこれに限られない。本発明では、液中電位測定システムが３つ以上の液中電位測定用電極装置を備えていてもよい。
【００４８】
また、上記実施形態では、測定用電極を、電極保持部を介して筐体に固定する構成の例を示したが、本発明はこれに限られない。本発明では、測定用電極を筐体に直接固定してもよい。この場合、測定用電極を接着剤により筐体に固定してもよい。
【００４９】
また、上記実施形態では、ネジ部の螺合により電極保持部を筐体に固定する構成の例を示したが、本発明はこれに限られない。本発明では、係合部の係合により電極保持部を筐体に固定してもよい。
【００５０】
また、上記実施形態では、筐体の一方側の端部に１つの開口を設ける構成の例を示したが、本発明はこれに限られない。本発明では、筐体に複数の開口を設けてもよいし、筐体の側面部に開口を設けてもよい。
【００５１】
また、上記実施形態では、蓋部材を筐体の外周のネジ部に螺合するようにして、開口を封止する構成の例を示したが、本発明はこれに限られない。本発明では、蓋部材を開口に栓をするように詰めて封止してもよいし、蓋部材を開口のネジ部に対して螺合させることにより取り付けて封止してもよい。
【００５２】
また、上記実施形態では、液中電位測定用電極装置のフィルタが不織布により構成されている例を示したが、本発明はこれに限られない。本発明では、液中電位測定用電極装置のフィルタを不織布以外により構成してもよい。
【００５３】
また、上記実施形態では、測定用電極が塩化銀電極により構成されている例を示したが、本発明はこれに限られない。本発明では、測定用電極を塩化銀電極以外により構成してもよい。
【符号の説明】
【００５４】
１、２０１  液中電位測定用電極装置
１１、２１１  筐体
１２  測定用電極
１３  フィルタ
１４  蓋部材
１１１  開口
１２１  電極保持部
【図１】
2017044560.tif 000003
【図２】
2017044560.tif 000004
【図３】
2017044560.tif 000005